(57)【特許請求の範囲】
【請求項１】
建物の開口部の縦縁部及び横縁部に取り付けられて開口枠を形成する開口枠用枠材において、
平板状の第一の化粧板と、この第一の化粧板の裏面側において両端からほぼ直角に突出する第二の化粧板とを有する略コ字形の横断面をなし、少なくとも前記横断面における角部の頂点を挟んだ両側に切断用の目印と装飾を兼ねる縦溝及び段差部が長手方向に沿って形成されると共に、
前記第一の化粧板は、両端部の４つの角隅に面取りが施され、
前記縦溝は、Ｖ字形の断面形状をなし、前記第一の化粧板の前記第二の化粧板を備える面と反対側の面で前記第一の化粧板と第二の化粧板が接続される角部の裏面側の角隅に対応する位置に形成されると共に、この縦溝のＶ字形の傾斜角度と前記面取りの角度とがほぼ等しく形成され、
前記段差部は、第二の化粧板の厚みを第一の化粧板の裏面側に位置する面取り分だけ薄くすることによって第一の化粧板と第二の化粧板との接続部で裏面側の前記角隅に対応する位置を開始位置として形成されることを特徴とする開口枠用枠材。
【請求項２】
請求項１において、
前記角部で挟まれた側面に、長手方向に沿って形成された戸当り取り付け用の溝を備えること、を特徴とする開口枠用枠材。
【請求項３】
建物の矩形の開口部の縁部に取り付けられる開口枠において、
請求項１または請求項２に記載した開口枠用枠材からなり、
前記開口枠用枠材は、前記横断面における凹部を外方に向けて配置されること、を特徴とする開口枠。
【発明の詳細な説明】
【０００１】
【発明の属する技術分野】
本発明は、開口枠用枠材及びこれを用いた開口枠に関し、特に、汎用性があり、装飾性が高く、かつ切断作業が容易な開口枠用枠材及びこれを用いた開口枠に関する。
【０００２】
【背景技術及び発明が解決しようとする課題】
建物の建築工法の一つとして、複数のパネルを組み合わせて各パネルに耐力を持たせるパネル工法が知られている。そして、このパネル工法により構築される建物の開口部には、建築用パネルの端面を隠すと共に開口部に生じた歪を矯正して開口部を美的に処理するため、縁部に沿って開口枠が取り付けられる。
【０００３】
ここで、従来は、現場で建築用パネルの表面に石膏ボードを取り付ける必要があったため、図１２に示すような横断面形状を有する開口枠用枠材１１からなる開口枠１０が使用されることが多かった。
【０００４】
同図において、開口枠用枠材１１は、厚みのある縦長の平板であって、一方の面に、石膏ボード２６をはめ込むための２本の溝１６が、所定間隔をおいて長手方向に沿って形成されている。また、溝１６の外側には、長手方向に同一の断面形状を有する凸状部１４が形成され、さらに、凸状部１４の側面には段差部１２が形成されている。そして、両側端面１１ａの角部には面取りが施されている。
【０００５】
このような横断面形状を有する開口枠用枠材１１からなる開口枠１０を開口部の縁部に取り付ける場合は、同図に示すように、各開口枠用枠材１１の溝１６が形成された面を開口部を形成する建築用パネル２０の端面２０ａ側に向け、端面２０ａとの間にパッキング１８を挟んで接着剤により固定する。そして、石膏ボード２６の端部を溝１６にはめ込むようにして取り付ける。また、建築用パネルの端部や壁の角部等で、交差方向に突き抜ける開口部が隣接させて形成される場合は、図１３に示すように、各開口部の開口枠１０が一部接合された状態で取り付けられる。この接合部においては、隣接する開口枠１０の収まりを良くするため、一方又は双方の開口枠用枠材１１の一部を長手方向に沿って切断して取り付ける。同図においては、端面２０ａ側に取り付けられた枠材１１の、隣接する開口枠１０側の凸状部１４がａ−ａ線（図１２参照）に沿って切断されている。なお、段差部１２がａ−ａ線の目印となる。また、建築用パネル２０は、矩形に組まれた枠体２２の両パネル面に面材２４を張り付けて構成されている。
【０００６】
しかし、本出願人は、近年、工場で表面仕上げ処理がなされ、現場において石膏ボードを取り付ける必要がない表面仕上げ済みパネルの実用化を検討している。そのため、これにあわせて、石膏ボードの有無に関わらず使用できる開口枠が要望されるようになった。
【０００７】
また、図１２に示すａ−ａ線以外の位置で枠材１１を切断したい場合もあり、その場合には、切断のための目印をその都度付けなければならず、作業が煩雑であった。このため、特に切断頻度が高い位置に、予め印を付けておきたいという要請が生じた。
【０００８】
さらに、この印が開口枠の装飾を兼ねたものであり、切断して他の枠材と接合しても装飾性が損なわれないものであれば、開口枠の取付によって開口部の外観を良くすることができるため、好ましい。
【０００９】
本発明は、上記課題に鑑みてなされたものであり、その目的は、汎用性があり、切断作業が容易で、装飾性が高い開口枠用枠材及びこれを用いた開口枠を提供することにある。
【００１０】
【課題を解決するための手段】
上記課題を解決するため、請求項１記載の発明は、建物の開口部の縦縁部及び横縁部に取り付けられて開口枠を形成する開口枠用枠材において、
平板状の第一の化粧板と、この第一の化粧板の裏面側において両端からほぼ直角に突出する第二の化粧板とを有する略コ字形の横断面をなし、少なくとも前記横断面における角部の頂点を挟んだ両側に切断用の目印と装飾を兼ねる縦溝及び段差部が長手方向に沿って形成されると共に、
前記第一の化粧板は、両端部の４つの角隅に面取りが施され、
前記縦溝は、Ｖ字形の断面形状をなし、前記第一の化粧板の前記第二の化粧板を備える面と反対側の面で前記第一の化粧板と第二の化粧板が接続される角部の裏面側の角隅に対応する位置に形成されると共に、この縦溝のＶ字形の傾斜角度と前記面取りの角度とがほぼ等しく形成され、
前記段差部は、第二の化粧板の厚みを第一の化粧板の裏面側に位置する面取り分だけ薄くすることによって第一の化粧板と第二の化粧板との接続部で裏面側の前記角隅に対応する位置を開始位置として形成されることを特徴とする。
【００１１】
請求項１記載の発明によれば、開口枠を形成する開口枠用枠材が略コ字形の横断面をなすため、凹部を開口部の縁部の端面に被せるようにして、開口枠を簡単に取り付けることができる。ここで、石膏ボード専用の溝が形成されていないため、建築用パネルに石膏ボードを取り付ける必要があるか否かに関わらず、使用することができる。また、開口枠用枠材の横断面形状が単純であるため、長手方向に沿って切断することで、取付位置に適した横断面形状に容易に整形することができる。従って、汎用性が高い開口枠用枠材を得ることができる。
【００１２】
ここで、開口枠用枠材の側面には、長手方向に沿って切断用の目印となる縦溝及び段差部があるため、現場における切断作業を迅速かつ的確に行うことが可能となる。さらに、この模様は装飾をも兼ねるため、装飾性の高い開口枠用枠材を得ることができる。従って、切断作業が容易で装飾性の高い開口枠を得ることが可能となる。
【００１３】
なお、この目的を達成するため、縦溝及び段差部は、最も切断頻度の高い位置に設けられることが好ましい。
【００１５】
また、角部の頂点を挟んだ両側に縦溝及び段差部があるため、開口枠用枠材切断における切断し易い位置及び方向の選択の幅が広がる。
【００１６】
また、開口枠用枠材が全体的にほぼ一様な厚みを有するように形成されることにより、角部等で交差方向で隣接させて取り付けられる２以上の開口枠用枠材の接合部分の段差を少なくすることができる。このため、角部等で隣接する開口枠を美的に取り付けることが可能となる。
【００１９】
請求項２記載の発明は、請求項１において、前記開口枠用枠材は、前記角部で挟まれた側面に、長手方向に沿って形成された戸当り取り付け用の溝を備えること、を特徴とする。
【００２０】
請求項２記載の発明によれば、戸当り取り付け用の溝を備えるため、この溝に戸当りをはめ込んで簡単に取り付けることができる。また、この溝の底部に釘等を打ち込むことによって、開口枠用枠材を一層確実に固定することが可能となる。なお、溝の底部に釘を打ち込んでも、戸当りによって隠されるため、開口枠の美感が損なわれることはない。
【００２１】
請求項３記載の発明は、建物の矩形の開口部の縁部に取り付けられる開口枠において、請求項１または請求項２に記載した開口枠用枠材からなり、
前記開口枠用枠材は、前記横断面における凹部を外方に向けて配置されること、を特徴とする。
【００２２】
請求項３記載の発明によれば、汎用性があり、切断作業が容易で、装飾性の高い開口枠を得ることが可能となる。
【００２３】
【発明の実施の形態】
次に、本発明の実施の形態を、図面を参照して詳細に説明する。
【００２４】
図１は、本発明にかかる開口枠用枠材の第一の実施形態を示す横断面図である。
【００２５】
同図において、開口枠用枠材４０は、平板状の第一の化粧板４２と、この第一の化粧板４２の裏面側において両端からほぼ直角に突出するように形成された第二の化粧板４４とを備え、凹部４７を備える略コ字形の横断面をなすように形成されている。
【００２６】
ここで、第一の化粧板４２は、使用される建築用パネル５０（図２参照）の厚さよりも幅が広く形成されており、両端部の４つの角隅には、総て面取り４９が施されている。また、第二の化粧板４４を備える面と反対側の面には、第一の化粧板４２と第二の化粧板４４とが接続される角部の裏面側の角隅４５に対応する位置に、それぞれ、縦溝４６が長手方向に沿って形成されている。このため、縦溝４６を、同図に示すＢ−Ｂ線で切断したい場合の目印とすることができる。また、縦溝４６は、Ｖ字形の断面形状をなし、このＶ字形の傾斜角度と面取り４９の角度とがほぼ等しく形成される。これにより、表面側角部周辺の見栄えが向上させ、開口枠３０の装飾的効果を高めることが可能となる。
【００２７】
第二の化粧板４４は、第一の化粧板４２と厚みがほぼ等しく形成されているが、側面に第一の化粧板４２の裏面側に位置する面取り４９の分だけ第二の化粧板４４を薄くすることによって形成された段差部４８を備える。また、第二の化粧板４４の幅は、第一の化粧板４２よりもかなり狭く形成されている。なお、段差部４８の開始位置は、第一の化粧板４２と第二の化粧板４４の接続部であり、裏面側の角隅４５に対応する。これにより、第二の化粧板４４の一方又は双方を、同図に示すＡ−Ａ線に沿って切断したい場合に、段差部４８を目印として、容易かつ迅速に切断を行うことができる。また、この段差部４８も、縦溝４６と同様に、開口枠３０の表面装飾的役割を果たす。
【００２８】
開口枠用枠材４０の材質としては、木や合成樹脂等、種々の材質を使用することができる。
【００２９】
また、開口枠用枠材４０の長さは、形成される開口枠の大きさに応じて、種々設定することが可能である。なお、開口枠の大きさは、それが取り付けられる開口部の大きさによって決定される。
【００３０】
本発明の第一の実施形態は、上述のように構成されており、次に、この開口枠用枠材の開口部の縁部への取付方法について説明する。なお、以下の説明において、同様な位置で切断された開口枠用枠材については、同一の符号を付し、切断位置等の説明を重複して行わないものとする。
【００３１】
図２は、本発明の第一の実施形態を開口部１００の縁部に取り付ける場合の基本的な取付方法を示す一部拡大斜視図である。
【００３２】
同図において、開口枠用枠材４０は、第一の化粧板４２が建築用パネル５０の側端面５０ａを覆い、第二の化粧板４４が面材５４の側端部を覆うように取り付けられている。
【００３３】
ここで、建築用パネル５０は、矩形に組まれた枠体５２の両面に面材５４が張り付けられて構成され、面材５４の表面には、予め仕上げ処理が施されている。このため、面材５４の上に、改めて石膏ボードを取り付け、壁仕上げ処理を行う必要がない。
【００３４】
また、開口枠用枠材４０は、釘打ちによって美感が損なわれることを防ぐため、接着剤によって建築用パネル５０に固定されている。
【００３５】
図３は、建築用パネル５０の側端部で２つの開口部が９０度の角度をなして隣接する場合における第一の実施形態の取付例を示す横断面図である。
【００３６】
同図において、開口枠用枠材６０，６２は、それぞれ、上述の開口枠用枠材４０を一部切断して形成したものである。具体的には、開口枠用枠材６０は、図１に示すＡ−Ａ線及び一方のＢ−Ｂ線に沿って切断され、第一の化粧板４２が当初よりやや短い状態で残るように形成されている。また、開口枠用枠材６２は、図１に示すＡ−Ａ線に沿って第二の化粧板の一方を切断し、横断面がＬ字形状をなすように形成されている。そして、建築用パネル５０の側端面５０ａを第一の化粧板４２で覆い、第二の化粧板４４で一方の面材５４の側端部を覆うように、開口枠用枠材６２が取り付けられ、他方の面材５４の側端部周辺を覆うように開口枠用枠材６０が取り付けられている。このとき、開口枠用枠材６０は、Ｂ−Ｂ線で切断された側の端面が開口枠用枠材６２の第一の化粧板４２の端部裏面と接合される。ここで、第二の化粧板４４は、段差部４８の大きさをあわせると、第一の化粧板４２と厚さが等しくなるように形成されているため、端面６２ａと開口枠用枠材６０の表面との間に段差が生じない。また、縦溝４６の横断面の角度と表面側角隅の面取り角度がほぼ等しくなっているため、開口枠用枠材６０と開口枠用枠材６２との接合部分が、縦溝４６と同様な状態を作り出す。これにより、接合部が目立たなくなると共に装飾性が向上する。さらに、外観上、開口枠用枠材６２の端部６２ａが開口枠用枠材６０の端部をも兼ねることになるため、見た目のバランスがよくなる。従って、開口枠用枠材が９０度の角度をなして隣接させて取り付けられる角部を、美的に処理することが可能となる。
【００３７】
なお、開口枠用枠材の切断作業は、現場において必要に応じて行われる。このとき、縦溝４６又は段差部４８が切断時のガイド的役割を果たすため、切断作業を迅速かつ確実に行うことが可能となる。
【００３８】
図４は、建築用パネル５０の側端部で開口部が３方に形成される場合の例を示す横断面図である。
【００３９】
同図において、建築用パネル５０の端面５０ａ側に開口枠用枠材６４が取り付けられ、両パネル面側にそれぞれ開口枠用枠材６０が取り付けられている。ここで、開口枠用枠材６４は、図１におけるＡ−Ａ線で第二の化粧板を両方とも切断して形成されている。そして、各開口枠用枠材６０は、Ｂ−Ｂ線で切断された側を端面５０ａ側に向けて、面材５４に張り付けられており、開口枠用枠材６４は、この開口枠用枠材６０の端面及び建築用パネル５０の端面５０ａを覆うように張り付けられている。
【００４０】
このように取り付けることにより、３方向に開口部が形成される部分での開口枠用枠材の収まりを美的に仕上げることができる。
【００４１】
図５及び図６は、２枚の建築用パネル５０が接合された角部における取付例を示す横断面図である。これらの図において、一の建築用パネル５０の一方の側面の側端部に他の建築用パネル５０の側端面５０ａが接合され、壁部の角部が形成されている。
【００４２】
図５は、一方向にのみ開口部が形成される場合の例を示す。
【００４３】
同図において、開口枠用枠材６２は、第一の化粧板４２が両建築用パネル５０，５０の接合部及び一の建築用パネル５０の端面５０ａを覆い、残された第二の化粧板４４が、この一の建築用パネル５０の一方の面材５４を覆うように取り付けられている。これにより、建築用パネル５０，５０の接合部が隠され、壁面の美感が向上する。
【００４４】
図６は、角部において２方向に開口部が形成される場合の例を示す。
【００４５】
同図においても、建築用パネル５０，５０の接合部が開口枠用枠材６４によって覆われるため、壁面を美的に仕上げることができる。また、隣接する開口枠用枠材６０，６４の納まりが美しくなる。
【００４６】
図７は、本発明にかかる開口枠用枠材を平面に取り付ける場合の例を示す横断面図である。
【００４７】
同図において、２枚の建築用パネル５０，５０は、側端面同士が接合され、この接合部を覆うように、開口枠用枠材６４が取り付けられている。このように取り付けることにより、建築用パネル５０，５０の接合部が覆い隠され、壁部の仕上がりが美しくなる。また、開口枠用枠材６４は平板状であるため、壁面に取り付け易い。
【００４８】
図８は、建築用パネルのパネル面に石膏ボード及び壁紙を取り付けて壁面が仕上げられる場合における本発明の適用状況を示す横断面図である。
【００４９】
同図においては、建築用パネル７０の端面７０ａにパッキング用合板９０が取り付けられ、このパッキング用合板９０の両端面及び面材７４の全面を覆うように石膏ボード７６が張り付けられ、さらに、この石膏ボード７６の端面及びパッキング用合板９０を覆うように、開口枠用枠材６６が取り付けられている。そして、石膏ボード７６の表面には、開口枠用枠材６６で覆われた部分を避けて、壁紙７８が取り付けられている。
【００５０】
ここで、開口枠用枠材６６は、図１に示す開口枠用枠材４０と基本的に同じ構成を有する。ただし、第一の化粧板６７の幅が、開口枠用枠材４０よりも石膏ボード７０の分だけ広く形成されている。
【００５１】
一方、建築用パネル７０は、矩形の枠体７２の両面に面材７４が張り付けられて構成されている。そして、面材７４としては、合板等の壁仕上げ処理がなされていないものが使用されている。
【００５２】
このように取り付けることにより、石膏ボードを取り付ける必要がある場合においても、本発明にかかる開口枠用枠材を適用することが可能となる。なお、パッキング用部材の取付は、作業現場において行われる。
【００５３】
図９は、図２から図７までに示す取付方法の組み合わせ例を示す壁部の横断面図である。
【００５４】
同図においては、開口部１００が６つ形成されており、各開口部１００に開口枠用枠材が取り付けられている。
【００５５】
ここで、各開口部１００を挟んで対面する一対の開口枠用枠材の少なくとも上部は、各開口部１００の上方の横縁に沿って取り付けられる開口枠用枠材によって接続され、開口枠が形成されている。なお、各開口部１００の下方の横縁には、開口枠用枠材が取り付けられる場合と、取り付けられない場合とがある。
【００５６】
図１０は、本発明の第一の実施形態を、笠木として用いる場合の例を示す斜視図である。
【００５７】
同図において、階段部８０，８２の境界に手摺壁８４が設けられ、この手摺壁８４の上端部を覆うように、開口枠用枠材４０が取り付けられている。連続する溝４６及び段差部４８が装飾となって、高級感漂う笠木を形成している。このように、本発明は、開口枠としてのみならず、他の用途にも使用し得る利用価値の高い開口枠用枠材であるということができる。
【００５８】
図１１は、本発明にかかる開口枠用枠材の第二の実施形態を示す横断面図である。
【００５９】
同図において、開口枠用枠材１１０は、図１に示す開口枠用枠材４０と基本的に同じ構成を有する。ただし、第一の化粧板１１２の表面側のほぼ中央に、長手方向に沿って、戸当り取り付け用の溝１１８が形成されている。この溝１１８は、縦溝１１６よりも幅及び深さが大きく形成されている。また、横断面が凹字形状になっている。
【００６０】
このような横断面形状を有する開口枠用枠材１１０は、上述した第一の実施形態の場合と同様な方法により取り付けられる。なお、溝１１８の底部は戸当り（図示せず）で隠されるため、開口枠用枠材１１０の取付の際、この溝１１８の底部に釘（図示せず）等を打ち込んでもよい。
【００６１】
【発明の効果】
以上説明したように、請求項１記載の発明によれば、開口枠を形成する開口枠用枠材が単純な横断面形状をしており、かつ、側面に所定の縦溝及び段差を備えることにより、汎用性があり、装飾性が高く、かつ切断作業が容易な開口枠用枠材を得ることができる。
【００６２】
また、切断容易な位置及び方向の自由度が高まり、かつ、隣接する開口部同士の接合部を美的に仕上げることが可能となる。
【００６４】
請求項２記載の発明によれば、戸当り取り付け用の溝を備えるため、開口枠の固定及び戸当りの取付が容易な開口枠用枠材を得ることができる。
【００６５】
請求項３記載の発明によれば、汎用性があり、装飾性が高く、切断作業が容易な開口枠を得ることができる。
【図面の簡単な説明】
【図１】本発明にかかる開口枠用枠材の第一の実施形態を示す横断面図である。
【図２】本発明の第一の実施形態の取付例を示す一部拡大斜視図である。
【図３】本発明の第一の実施形態の他の取付例を示す横断面図である。
【図４】本発明の第一の実施形態の他の取付例を示す横断面図である。
【図５】本発明の第一の実施形態の他の取付例を示す横断面図である。
【図６】本発明の第一の実施形態の他の取付例を示す横断面図である。
【図７】本発明の第一の実施形態の他の取付例を示す横断面図である。
【図８】建築用パネルの表面に石膏ボードが取り付けられる場合における本発明の第一の実施形態の取付例を示す横断面図である。
【図９】図１から図７までの取付例の組み合わせ例を示す壁部の横断面図である。
【図１０】本発明の第一の実施形態を笠木として用いる場合の例を示す斜視図である。
【図１１】本発明にかかる開口枠用枠材の第二の実施形態を示す横断面図である。
【図１２】従来例を示す横断面図である。
【図１３】従来例を示す横断面図である。
【符号の説明】
４０，６０，６２，６４，６６，１１０  開口枠用枠材
４７  凹部
４６，１１６  縦溝
４８  段差
１１８  戸当り取り付け用の縦溝
【図１】
0003659749.tif 000002
【図２】
0003659749.tif 000003
【図３】
0003659749.tif 000004
【図４】
0003659749.tif 000005
【図５】
0003659749.tif 000006
【図６】
0003659749.tif 000007
【図７】
0003659749.tif 000008
【図８】
0003659749.tif 000009
【図９】
0003659749.tif 000010
【図１０】
0003659749.tif 000011
【図１１】
0003659749.tif 000012
【図１２】
0003659749.tif 000013
【図１３】
0003659749.tif 000014